(57)【要約】【課題】  映像信号およびＣＭ通信と、ＦＴＴＨシステムによるＯＬＴ−ＯＮＴ間通信とを同時に行うことが可能なＣＡＴＶ光伝送装置の提供。【解決手段】  ＣＡＴＶ光伝送装置３内にＷＤＭフィルタ２６を設け、下り１．５５μｍ、下り１．４９μｍ、上り１．３１μｍの光波長多重信号を分割・多重し、対向する各家庭８，９またはセンタ１に伝送する。このＷＤＭフィルタ２６をＣＡＴＶ光伝送装置３内に設けることにより、従来のＨＦＣシステムにＦＴＴＨシステムを増設することが可能となる。【選択図】      図３                                                  
2006005595.tif 000002
【特許請求の範囲】
【請求項１】
センタからの光信号による第１信号を電気信号に変換して各家庭へ伝送し、前記各家庭からの電気信号による第２信号を光信号に変換して前記センタへ伝送するＣＡＴＶ光伝送装置であって、
前記センタからの光信号による第１信号と、前記センタからの光信号による第３信号と、前記各家庭からの光信号による第４信号とを周波数分割・多重して対向する各家庭またはセンタに伝送するフィルタ手段を含むことを特徴とするＣＡＴＶ光伝送装置。
【請求項２】
前記センタおよび前記ＣＡＴＶ光伝送装置間は１心光ファイバで接続され、その１心光ファイバを介して前記第１、第３、第４信号が周波数多重されて伝送され、
前記ＣＡＴＶ光伝送装置および前記各家庭間は同軸伝送路と１心光ファイバで接続され、その同軸伝送路を介して前記第１信号が伝送され、その１心光ファイバを介して前記第３、第４信号が周波数多重されて伝送されることを特徴とする請求項１記載のＣＡＴＶ光伝送装置。
【請求項３】
前記ＣＡＴＶ光伝送装置および前記各家庭間の１心光ファイバの途中にクロージャが設けられ、前記クロージャ内の光カプラを介して前記第３、第４信号が伝送されることを特徴とする請求項２記載のＣＡＴＶ光伝送装置。
【請求項４】
前記センタおよび前記ＣＡＴＶ光伝送装置間に他の１心光ファイバが接続され、その１心光ファイバを介して前記第２信号が伝送され、
前記ＣＡＴＶ光伝送装置および前記各家庭間に他の同軸伝送路が接続され、その同軸伝送路を介して前記第２信号が伝送されることを特徴とする請求項１から３いずれかに記載のＣＡＴＶ光伝送装置。
【請求項５】
前記センタおよび前記ＣＡＴＶ光伝送装置間の１心光ファイバは線路冗長化されることを特徴とする請求項２から４いずれかに記載のＣＡＴＶ光伝送装置。
【請求項６】
請求項１から５いずれかに記載のＣＡＴＶ光伝送装置を含むことを特徴とする光伝送システム。
【発明の詳細な説明】
【技術分野】
【０００１】
本発明は、ＣＡＴＶ（Cable Television）光伝送装置およびその装置を用いた光伝送システムに関し、特にＨＦＣ（Hybrid Fiber/Coax ）伝送路（光同軸ハイブリッド伝送路）を用いたＣＡＴＶ光伝送装置の改良に関する。
【背景技術】
【０００２】
ＨＦＣ伝送路を用いたＣＡＴＶ光伝送装置は知られている。図６は従来のＨＦＣ伝送路を用いたＣＡＴＶ光伝送装置の一例の構成図である。
【０００３】
同図を参照すると、従来のＨＦＣ伝送路を用いたＣＡＴＶ光伝送装置の一例は、センタ１０１と、クロージャ１０２と、ＣＡＴＶ光伝送装置１０３と、タップオフ４と、加入者宅８および９と、伝送路６、６１および６２とを含んで構成される。
【０００４】
センタ１０１はヘッドエンド１０５を含んでいる。家庭８にはホーム・ターミナル（以下、ＨＴと表示する）１０ａと、テレビジョン（以下、ＴＶと表示する）１１ａとが設けられ、家庭９にはＨＴ１０ｂと、ＴＶ１１ｂと、ケーブルモデム（以下、ＣＭと表示する）１４と、パーソナル・コンピュータ（以下、ＰＣと表示する）５０とが設けられている。
【０００５】
また、伝送路６は光伝送路（以下、光ファイバと表示する）、伝送路６１、６２は同軸伝送路で形成されている。
【０００６】
そして、１心の光ファイバ６にて下り（センタ１から家庭８、９方向）１．３１μｍ波長の映像およびＣＭ信号を、他の１心の光ファイバ６にて上り（家庭８、９からセンタ１方向）１．３１μｍ波長のＣＭ信号を送信していた。
【０００７】
また、下りの光信号はＣＡＴＶ光伝送装置１０３にて電気信号に変換され、各家庭８、９に送信され、上りの電気信号はＣＡＴＶ光伝送装置１０３にて光信号に変換され、センタ１０１に送信されていた。
【０００８】
従来のＣＡＴＶ光伝送システムは、ＨＦＣシステムにおいて映像サービスおよびＣＭによるインターネット通信サービスを提供してきたが、昨今ＦＴＴＨ（(Fiber To The Home) システムが浸透し、ユーザ確保のためにＦＴＴＨシステムを検討するＣＡＴＶオペレータが増加している。
【０００９】
オペレータとしてはＣＡＴＶ伝送路が既に設置されていることから、本伝送路を有効活用しながら、かつセンタ内のＯＬＴ（Optical Line Terminal ）および家庭内のＯＮＴ(Optical Network Terminal)間の通信を実施できるよう設備等を準備する必要がある。
【００１０】
一方、センタ設備やノード光装置に対応して光伝送線路にＷＤＭ（波長分割多重）カプラを挿入することにより高速データ伝送を行う技術が特許文献１に開示されている。
【００１１】
【特許文献１】特開２００３−００９１１２号公報（要約、段落００２３）
【発明の開示】
【発明が解決しようとする課題】
【００１２】
しかし、従来のＣＡＴＶ光伝送システムにおいてＦＴＴＨに全面移行する場合、光ファイバをセンタから家庭内のＯＮＴまで施設する必要がある等、初期投資額が非常に大きくなるという課題がある。また、特許文献１開示の技術は、各伝送路にＷＤＭカプラを１個ずつ設けるものであり、本発明のようにＣＡＴＶ光伝送装置内にＷＤＭカプラ（ＷＤＭフィルタ２６，図３参照）を１個だけ設けるものとは構成、作用、効果のいずれもが全く相違する。
【００１３】
そこで本発明の目的は、映像信号およびＣＭ通信と、ＦＴＴＨシステムによるＯＬＴ−ＯＮＴ間通信とを同時に行うことが可能で、しかも既設ＨＦＣシステムを有効に活用することが可能なＣＡＴＶ光伝送装置およびその装置を用いた光伝送システムを提供することにある。
【課題を解決するための手段】
【００１４】
前記課題を解決するために本発明によるＣＡＴＶ光伝送装置は、センタからの光信号による第１信号を電気信号に変換して各家庭へ伝送し、前記各家庭からの電気信号による第２信号を光信号に変換して前記センタへ伝送するＣＡＴＶ光伝送装置であって、その装置は前記センタからの光信号による第１信号と、前記センタからの光信号による第３信号と、前記各家庭からの光信号による第４信号とを周波数分割・多重して対向する各家庭またはセンタに伝送するフィルタ手段を含むことを特徴とする。
【００１５】
また、本発明による光伝送システムは、上記光伝送装置を含むことを特徴とする。
【００１６】
本発明によれば、ＣＡＴＶ光伝送装置にフィルタ手段を設けることにより、従来のＨＦＣシステムにＦＴＴＨシステムを増設することが可能となる。
【発明の効果】
【００１７】
本発明によれば、既存のＣＡＴＶシステムを用いてＦＴＴＨを使ったＯＬＴ−ＯＮＴ間通信を行うことが可能となる。その理由はクロージャにＰＯＮ(Passive Optical Network) 用の光ファイバが既に出線されているためである。
【００１８】
また、新たにＰＯＮによる通信を実施したい場合でも、センタからＯＮＴまで全て光ファイバを敷設する必要はなく、クロージャから各家庭内のＯＮＴまでを新たに敷設するだけで済む。その理由は上記と同様である。また、分岐数を増減させたい場合は光カプラを用いることにより可能である。
【００１９】
また、既存のＣＡＴＶシステムをスムーズにＦＴＴＨ化することが可能である。その理由は、ＣＡＴＶオペレータが既に構築しているＨＦＣ伝送路に本発明に係るＣＡＴＶ光伝送装置を設けることにより、そのＨＦＣ伝送路上にＰＯＮシステムを追加することができ、映像、ＣＭ伝送に加えＯＮＴによる伝送が同時に可能となり、既存のシステムを有効活用できるためである。
【発明を実施するための最良の形態】
【００２０】
以下、本発明の実施例について添付図面を参照しながら説明する。
【実施例１】
【００２１】
図１は本発明に係るＣＡＴＶ光伝送システムの一例の構成図である。なお、同図において前述の図６と同様の構成部分については同一番号を付し、その説明を省略する。
【００２２】
図１を参照すると、本発明に係るＣＡＴＶ光伝送システムが従来のＣＡＴＶ伝送システムと異なる点は、センタ１内のヘッドエンド５、クロージャ２、ＣＡＴＶ光伝送装置３の構成、および家庭８にＯＮＴ１２ａとＰＣ１３ａとが設けられる点である。
【００２３】
さらに、ＣＡＴＶ光伝送装置３からクロージャ２を介して家庭８のＯＮＴ１２ａに下り／上り通信用光ファイバ７が敷設される点も異なっている。
【００２４】
光ケーブル間にあるクロージャ２は、光ファイバ同士を接続・分岐させるためのスプライス等の格納庫である。タップオフ４は伝送路６１上の映像・ＣＭ信号を各家庭に分配するためのものである。
【００２５】
すなわち、本ＣＡＴＶ光伝送システムでは、センタ１と家庭８，９との間に、映像・ＣＭ通信用伝送路（光伝送路＋同軸伝送路）と、ＯＬＴ−ＯＮＴ間通信用伝送路（全て光伝送路）との両者が敷設されている。
【００２６】
そして、センタ１・家庭８，９間の映像・ＣＭ通信はセンタ１、光ファイバ６、クロージャ２、ＣＡＴＶ光伝送装置３、同軸伝送路６１、タップオフ４、同軸伝送路６２を介して行われ、ＯＬＴ−ＯＮＴ間通信はセンタ１、光ファイバ６、クロージャ２、ＣＡＴＶ光伝送装置３、下り／上り通信用光ファイバ７を介して行われる。
【００２７】
次に、センタ１内のヘッドエンド５の一例の構成について説明する。図２はセンタ１の一例の構成図であり、具体的にはヘッドエンド５の構成を示している。
【００２８】
同図を参照すると、センタ１はＯＬＴ４１と、ＴＶＳＰ（映像信号送信装置）１５と、カプラ４６と、ＦＴＸ（光送信器）１７と、ＷＤＭ(Wavelength Division Multiplexing)フィルタ１９と、ＨＭ（ヘッドエンドモデム）４４と、ＲＲＸ（光受信器）３９とを含んで構成される。また、光ファイバ２１は前述の光ファイバ６を示している。
【００２９】
そして、映像・ＣＭ通信用に下り光波長１．５５μｍ（以下、下り１．５５μｍと表示する）と、上りＣＷＤＭ(Coarse Wavelength Division Multiplexing) 伝送に光波長１．４９〜１．６１μｍ（２０ｎｍ間隔８波のうちから１波選択）（以下、上りＣＷＤＭと表示する）とが用いられ、ＯＬＴ−ＯＮＴ間通信用に下り光波長１．４９μｍ（以下、下り１．４９μｍと表示する）と、上り光波長１．３１μｍ（以下、上り１．３１μｍと表示する）とが用いられる。
【００３０】
ＷＤＭフィルタ１９は下り１．４９μｍ、下り１．５５μｍ、上り１．３１μｍの３波を分割・多重するフィルタである。
【００３１】
ＯＬＴ４１はＯＮＴと通信するための制御装置である。ＴＶＳＰ１５は映像信号を送信する装置である。ＨＭ４４はＣＭとインターネット通信させるために必要な制御装置である。
【００３２】
次に、センタ１の動作について説明する。まず、下り映像信号および下りＣＭ通信（たとえば、インターネット通信）の信号経路について説明する。
【００３３】
ＴＶＳＰ１５より出力された下り電気信号（下り１．５５μｍ信号）はカプラ４６を介してＦＴＸ１７に到達する。このＦＴＸ１７にて電気信号が光信号に変換され、光信号はＷＤＭフィルタ１９を通過する。このＷＤＭフィルタ１９は本下り１．５５μｍ信号と後述するＯＬＴ−ＯＮＴ間通信用下り１．４９μｍとを波長多重し、光ファイバ２１に出力する。
【００３４】
また、ＨＭ４４から出力される電気信号（ＣＭ信号）は映像信号と同じ光波長で送信するため、カプラ４６により映像信号と結合され、その後ＦＴＸ１７により光信号に変換される。その後は映像信号と同様の経路を辿る。
【００３５】
次に、上りＣＷＤＭ信号の信号経路について説明する。上りＣＷＤＭ信号は家庭９のＣＭ１４から出力される信号である。上りＣＷＤＭ信号は光ファイバ２１を介してＲＲＸ３９に到達し、光信号が電気信号に変換され、ＨＭ４４に入力される。
【００３６】
次に、下りＯＬＴ−ＯＮＴ間通信の信号経路について説明する。ＯＬＴ４１から出力された下り光信号（下り１．４９μｍ信号）はＷＤＭフィルタ１９により映像用信号（下り１．５５μｍ）と波長多重され、光ファイバ２１に出力される。
【００３７】
次に、上りＯＬＴ−ＯＮＴ間通信の信号経路について説明する。上りＯＬＴ−ＯＮＴ間通信信号は家庭８のＯＮＴ１２ａから出力される信号である。上りＯＬＴ−ＯＮＴ間通信信号（上り１．３１μｍ）は光ファイバ２１を介してＷＤＭフィルタ１９に到達する。その後、ＷＤＭフィルタ１９にて上り１．３１μｍが分岐され、ＯＬＴ４１に入力される。
【００３８】
次に、クロージャおよびＣＡＴＶ光伝送装置の一例の構成について説明する。図３はクロージャおよびＣＡＴＶ光伝送装置の一例の構成図である。
【００３９】
同図を参照すると、クロージャ２は光カプラ４８を含んでいる。そして、光カプラ４８から下り１．４９μｍ／上り１．３１μｍの光信号伝送用の光ファイバが複数に分岐され各家庭のＯＮＴ１２ａ，１２ｂ等と接続されている。
【００４０】
ＣＡＴＶ光伝送装置３は、ＷＤＭフィルタ２６と、Ｏ／Ｅ（光信号／電気信号変換器）２８と、Ｅ／Ｏ（電気信号／光信号変換器）３７と、幹線増幅器３１，３６と、カプラ３２，３３と、方向性フィルタ３４，３５とを含んで構成される。
【００４１】
また、センタ１側の光ファイバ２１がクロージャ２を通過してＣＡＴＶ光伝送装置３側の光ファイバ２４と接続し、光ファイバ２４がＷＤＭフィルタ２６と、Ｅ／Ｏ３７とに接続される。
【００４２】
次に、クロージャおよびＣＡＴＶ光伝送装置の動作について説明する。まず、下り映像信号および下りＣＭ通信信号の信号経路について説明する。
【００４３】
下り映像信号（下り１．５５μｍ信号）は光ファイバ２４を介してＷＤＭフィルタ２６に入力される。ＷＤＭフィルタ２６では下り信号はＯ／Ｅ２８に分岐され、光信号が電気信号に変換される。そして、電気信号に変換された下り映像信号は幹線増幅器３１に入力され増幅される。増幅後の下り信号は出力対応するためカプラ３２で分岐された後、方向性フィルタ３４，３５を介して出力される。
【００４４】
下りＣＭ通信信号は前述したようにセンタ１内のカプラ４６にて映像信号と結合されるため、クロージャ２からＣＡＴＶ光伝送装置３までの信号経路は前述した下り映像信号（下り１．５５μｍ信号）と同様である。
【００４５】
次に、上りＣＷＤＭ信号の信号経路について説明する。上りＣＷＤＭ信号は方向性フィルタ３４，３５により上り帯域が分けられ、カプラ３３を介して上り幹線増幅器３６に入力される。そして、上りＣＷＤＭ信号はここで増幅され、Ｅ／Ｏ３７により電気信号から光信号に変換されて光ファイバ２４に出力される。
【００４６】
次に、下りＯＬＴ−ＯＮＴ間通信の信号経路について説明する。下り映像信号（下り１．５５μｍ信号）と波長多重された下りＯＬＴ−ＯＮＴ間通信用信号（下り１．４９μｍ信号）は光ファイバ２４を介してＣＡＴＶ光伝送装置３内のＷＤＭフィルタ２６に入力される。そして、ＷＤＭフィルタ２６にて下り１．４９μｍ信号が分割され、光ファイバ７を介してクロージャ２内の光カプラ４８に入力される。そして、その下り１．４９μｍ信号は光カプラ４８により各家庭に設置してあるＯＮＴ１２ａ，１２ｂ等に分岐され、さらにＰＣ１３ａ，１３ｂ等に入力され、通信が可能となる。
【００４７】
次に、上りＯＬＴ−ＯＮＴ間通信信号（上り１．３１μｍ信号）の信号経路について説明する。なお、上り１．３１μｍ信号と下り１．４９μｍ信号は同一経路となるため波長多重されている。
【００４８】
ＯＮＴ１２ａ，１２ｂ等から送信された上り光信号（上り１．３１μｍ信号）は光カプラ４８にて結合され、光ファイバ７を介してＣＡＴＶ光伝送装置３内のＷＤＭフィルタ２６に入力される。ＷＤＭフィルタ２６では上り１．３１μｍ信号と下り１．５５μｍ信号と下り１．４９μｍ信号とが波長多重され、上り１．３１μｍ信号は光ファイバ２４を介してセンタ１へ送信される。
【００４９】
以上説明したように、本発明の第１実施例によれば、ＣＡＴＶ光伝送装置３内にＷＤＭフィルタ２６を追加することにより、従来の上り下り各１心の光ファイバ（一例として、上り下りともに１．３１μｍ波長）を用いた映像・ＣＭ通信に加え、ＦＴＴＨによるＯＬＴ−ＯＮＴ間通信を増設することが可能となる。
【００５０】
また、ＨＦＣシステムにおいてはセンタ１から光幹線の分岐点（クロージャ２の光カプラ４８）まで既に光ファイバが敷設されているため、光カプラ４８からＯＮＴ１２ａ，１２ｂ等まで光ファイバを敷設するだけでＦＴＴＨ化が可能となる。
【００５１】
具体的には、従来各１心の光ケーブルを用いて上下１．３１μｍの映像・ＣＭ通信のみを行っていたが、本発明によれば、下り映像・ＣＭ通信（下り１．５５μｍ）と下りＯＬＴ−ＯＮＴ間通信（下り１．４９μｍ）と上りＯＬＴ−ＯＮＴ間通信（上り１．３１μｍ）を１心の光ケーブルで行い、上りＣＷＤＭ伝送（光波長１．４９〜１．６１μｍの８波のうちの１波）を他の１心の光ケーブルで行うことが可能となる。
【実施例２】
【００５２】
図４は本発明に係るセンタ１の第２実施例の構成図、図５は本発明に係るクロージャ２およびＣＡＴＶ光伝送装置３の第２実施例の構成図である。なお、同図において前述の図２および図３と同様の構成部分については同一番号を付し、その説明を省略する。
【００５３】
第２実施例は第１実施例のＣＡＴＶ光伝送システムの線路冗長化を図ったものである。
【００５４】
まず、センタ１について説明する。図４を参照すると、センタ１に新たに追加されたものは、リレー４２と、ＤＩＳ（信号分配器）１６と、カプラ４５、４７と、ＦＴＸ１８と、ＷＤＭフィルタ２０と、ＲＦＳＷ（高周波スイッチ）４９と、ＲＲＸ４０である。またＣＡＴＶ光伝送システムの線路冗長化に伴い、光ファイバ２１に加え光ファイバ２２が追加されている。
【００５５】
本実施例は、一例として、下り映像・ＣＭ通信（下り１．５５μｍ）、下りＯＬＴ−ＯＮＴ間通信（下り１．４９μｍ）、上りＯＬＴ−ＯＮＴ間通信（上り１．３１μｍ）、および上りＣＷＤＭ伝送（光波長１．４９〜１．６１μｍの８波のうちの１波）を２系統設けたものについて説明するが、３系統以上設けたものに本発明を適用することも可能である。
【００５６】
ＯＬＴ４１の入出力が２系統化されたことに伴いリレー４２が設けられ、このリレー４２により一方の系へ切り替えることが可能である。また、この２系統化に伴い、ＷＤＭフィルタも２系統化（ＷＤＭフィルタ１９、２０）されている。
【００５７】
また、ＴＶＳＰ１５の出力が２系統化されたことに伴いＤＩＳ１６が設けられ、このＤＩＳ１６によりＴＶＳＰ１５の入出力を２系統に分配することが可能である。また、カプラも２系統（カプラ４６，４７）、ＦＴＸも２系統（ＦＴＸ１７，１８）設けられている。
【００５８】
また、ＨＭ４４の出力が２系統化されたことに伴いカプラ４５が設けられ、このカプラ４５によりＨＭ４４の出力が２分配されてカプラ４６，４７を介してＴＶＳＰ１５の出力と結合される。
【００５９】
また、ＨＭ４４の入力が２系統化されたことに伴いＲＦＳＷ４９が設けられ、かつＲＲＸも２系統（ＲＲＸ３９、４０）設けられている。このＲＦＳＷ４９によりＲＲＸ３９、４０の一方の出力を選択してＨＭ４４へ入力させることが可能である。
【００６０】
以上説明したように、センタ１にて取り扱う信号が２系統に増設された点が第１実施例と相違するものであり、各信号の経路については第１実施例と同様である。したがって、第２実施例におけるセンタ１の信号経路の説明は省略する。
【００６１】
次に、クロージャ２およびＣＡＴＶ光伝送装置３について説明する。図５を参照すると、クロージャ２およびＣＡＴＶ光伝送装置３に新たに追加されたものは、ＷＤＭフィルタ２７と、光カプラ４３，３８と、Ｏ／Ｅ２９と、リレー３０である。またＣＡＴＶ光伝送システムの線路冗長化に伴い、光ファイバ２４に加え光ファイバ２５が追加されている。
【００６２】
本実施例は、一例として、下り映像・ＣＭ通信（下り１．５５μｍ）、下りＯＬＴ−ＯＮＴ間通信（下り１．４９μｍ）、上りＯＬＴ−ＯＮＴ間通信（上り１．３１μｍ）、および上りＣＷＤＭ伝送（光波長１．４９〜１．６１μｍの８波のうちの１波）を２系統設けたものについて説明するが、３系統以上設けたものに本発明を適用することも可能である。
【００６３】
下り映像・ＣＭ通信（下り１．５５μｍ）、下りＯＬＴ−ＯＮＴ間通信（下り１．４９μｍ）および上りＯＬＴ−ＯＮＴ間通信（上り１．３１μｍ）が２系統化されたことにより、ＣＡＴＶ光伝送装置３のＷＤＭフィルタも２系統化（ＷＤＭフィルタ２６，２７）され、これらの信号を結合・分岐させるための光カプラ４３が設けられている。
【００６４】
リレー３０は２系統の下り映像・ＣＭ通信（下り１．５５μｍ）のいずれかを選択するためのものである。このリレー３０は通常運用している系が選択されているが、万一選択された系に異状が発生した場合、他方の系に自動的に切り替えられるようになっており、また遠隔制御も可能である。
【００６５】
光カプラ３８は上りＣＷＤＭ伝送（光波長１．４９〜１．６１μｍの８波のうちの１波）を２系統に分岐するためのものである。
【００６６】
なお、本実施例では、一例として、光カプラ４８にて下りＯＬＴ−ＯＮＴ間通信（下り１．４９μｍ）および上りＯＬＴ−ＯＮＴ間通信（上り１．３１μｍ）を３２分岐する場合を示している。
【００６７】
以上説明したように、クロージャ２およびＣＡＴＶ光伝送装置３にて取り扱う信号が２系統に増設された点が第１実施例と相違するものであり、各信号の経路については第１実施例と同様である。したがって、第２実施例におけるクロージャ２およびＣＡＴＶ光伝送装置３の信号経路の説明は省略する。
【００６８】
以上説明したように、本発明の第２実施例によれば、第１実施例の効果に加え、伝送路の冗長化が可能となるという効果を奏する。
【実施例３】
【００６９】
次に、本発明の第３実施例について説明する。本発明の実施例は基本的には上述した第１および第２実施例と同様であるが、本ＣＡＴＶ光伝送装置３は各構成部分（図３および図５に示すＣＡＴＶ光伝送装置３の各構成部分）がユニット構造になっているため、機能の変更および機種追加が可能である。
【００７０】
たとえば、上りＣＷＤＭ(Coarse Wavelength Division Multiplexing) 伝送方式をＤＷＤＭ(Dense Wavelength Division Multiplexing)伝送方式に変更することにより、上り通信容量の拡大が可能となる。
【図面の簡単な説明】
【００７１】
【図１】本発明に係るＣＡＴＶ光伝送システムの一例の構成図である。
【図２】センタ１の一例の構成図である。
【図３】クロージャおよびＣＡＴＶ光伝送装置の一例の構成図である。
【図４】本発明に係るセンタ１の第２実施例の構成図である。
【図５】本発明に係るクロージャ２およびＣＡＴＶ光伝送装置３の第２実施例の構成図である。
【図６】従来のＨＦＣ伝送路を用いたＣＡＴＶ光伝送装置の一例の構成図である。
【符号の説明】
【００７２】
１  センタ
２  クロージャ
３  ＣＡＴＶ光伝送装置
４  タップオフ
６、７  光ファイバ
８  家庭
２１，２２  光ファイバ
２４，２５  光ファイバ
２６、２７  ＷＤＭフィルタ
６１，６２  同軸伝送路
【図１】
2006005595.tif 000003
【図２】
2006005595.tif 000004
【図３】
2006005595.tif 000005
【図４】
2006005595.tif 000006
【図５】
2006005595.tif 000007
【図６】
2006005595.tif 000008